(57)【要約】【課題】  略平坦に展開されている包装用箱をワンタッチで断面三角形状の立体形に組み上げることができ、しかも両胴部と底部で囲まれた内側空間の三角形状に開口する前後開口にも同時にまち部が形成できるようにした断面三角形状に組み上がる包装用箱を提供できるようにする。【解決手段】  表胴部２、底部３（内底３ａ）、谷折り線９を設けてなる表包装体上に、六角形状に配した谷折り線９と谷折り線９内に山折り線１０を介して配したまち部６、まち開口閉塞部７を設けてなる裏包装体における谷折り線９の外側に位置する裏胴部５を接着剤等で表包装体上に固定する。【選択図】  図１０
2009179361.tif 000002
【特許請求の範囲】
【請求項１】
包装用箱の展開形において、底部の左右両端辺に続いて谷折り線を介して胴部を連設してなる表包装体上に、内角の全てが鈍角でかつ前後左右がほぼ対称の六角形状に折り目線を配してなる裏包装体を設けていて、この裏包装体の折り目線における二線は前記表包装体の底部における前後両端辺とそれぞれ同じ長さであり、かつそれぞれが前記底部の前後両端辺にほぼ重なる位置に配設されており、さらに、裏包装体における各折り目線の外側部分は表包装体と固定され、また各折り目線の内側部分は表包装体と固定されていないで表包装体の左右胴部上にそれぞれ位置している折り目線の二角を結んだ線上で切断され前後のまち部に分かれていて、かつそれぞれのまち部には前記表包装体の底部における前後両端辺にほぼ重なる位置に配設している折り目線の両端部から表包装体の底部上に位置する前記切断辺部に渡りそれぞれ山折り線が設けられていて、前記表包装体におけるそれぞれの胴部を底部の上方向に立ち上げて行くことによって前記裏包装体における前後のまち部が起き上がり、かつこれらまち部に有する山折り線の内側部分が表包装体における両胴部と底部で囲まれた内側空間の三角形状に開口する前後の開口内にそれぞれ位置するように構成してなる包装用箱。
【請求項２】
前記まち部のそれぞれに切断辺部に続いて延伸片を設けていて、この延伸片は少なくともまち部に有する山折り線の延長線上内側部分に位置する部位を有していて、まち部に有する山折り線の内側部分が表包装体における両胴部と底部で囲まれた内側空間の三角形状に開口する前後の開口内に位置した際、この開口を閉塞するようになっている請求項１に記載の包装用箱。
【請求項３】
前記裏包装体を左端から右端に渡り前後に二等分したそれぞれの形状と略同じ形状にしている半裏包装体のそれぞれが、前記表包装体の左胴部、底部、右胴部に渡る前後両端辺に谷折り線を介して連設されており、これら半裏包装体を表包装体上に折り畳むとともに、所定の部位を表包装体に固定することにより表包装体上に前記裏包装体を配設できるように構成してなる請求項１に記載の包装用箱。
【請求項４】
組み立てられた包装用箱の上部開口を閉封するための閉封手段を設けて構成してなる請求項１に記載の包装用箱。
【請求項５】
組み立てられた包装用箱を手で提げるための把手を設けて構成してなる請求項１に記載の包装用箱。
【発明の詳細な説明】
【技術分野】
【０００１】
本発明は、商品を収容する包装用箱に関し、より詳しくは、展開している包装用箱の両胴部を合わせ方向に立ち上げて行くことで、これら両胴部の間にまち部が形成されて組み上がるようにした断面三角形状の包装用箱に関する。
【背景技術】
【０００２】
従来、菓子等の商品を包装する断面四角形状に組み上がる包装用箱は、略平坦に展開できて、保管スペースをとらないような工夫がなされている。
【０００３】
また、上記の断面四角形の包装用箱よりも美的形状の断面三角形や多角形状に組み上がる包装用箱も、前述する菓子等の商品を包装する断面四角形状に組み上がる包装用箱と同じように、略平坦に展開できて、保管スペースをとらないようになっている（例えば、特許文献１参照）。
【０００４】
これらの包装用箱を平坦な展開形から立体形に組み上げる場合は、例えば、底部に連設している胴部やまち部を立ち上げ、そのそれぞれに形成しているスリットどうしを組み合わせたり、あるいはスリットに所定の片を差し込むようにして立体形に組み立てている。
【０００５】
このように、略平坦に展開されている包装用箱を立体形に組み上げるには、少なくとも数回の工程を経なければ立体形に組み上げることができず、したがって包装用箱を多く使用する店舗では組み立てに掛かる手間が看過できない。
【０００６】
【特許文献１】特開２００６−２１９１８９号公報（第１〜８頁、図１〜８）
【発明の開示】
【発明が解決しようとする課題】
【０００７】
本発明は、略平坦に展開されている包装用箱をワンタッチで断面三角形状の立体形に組み上げることができ、しかも両胴部と底部で囲まれた内側空間の三角形状に開口する前後開口にも同時にまち部が形成できるようにした断面三角形状に組み上がる包装用箱を提供できるようにした。
【課題を解決するための手段】
【０００８】
上述した課題を解決するために、本発明に係る包装用箱は、包装用箱の展開形において、底部の左右両端辺に続いて谷折り線を介して胴部を連設してなる表包装体上に、内角の全てが鈍角でかつ前後左右がほぼ対象の六角形状に折り目線を配してなる裏包装体を設けていて、この裏包装体の折り目線における二線は前記表包装体の底部における前後両端辺とそれぞれ同じ長さであり、かつそれぞれが前記底部の前後両端辺にほぼ重なる位置に配設されており、さらに、裏包装体における各折り目線の外側部分は表包装体と固定され、また各折り目線の内側部分は表包装体と固定されていないで表包装体の左右胴部上にそれぞれ位置している折り目線の二角を結んだ線上で切断され前後のまち部に分かれていて、かつそれぞれのまち部には前記表包装体の底部における前後両端辺にほぼ重なる位置に配設している折り目線の両端部から表包装体の底部上に位置する前記切断辺部に渡りそれぞれ山折り線が設けられていて、前記表包装体におけるそれぞれの胴部を底部の上方向に立ち上げて行くことによって前記裏包装体における前後のまち部が起き上がり、かつこれらまち部に有する山折り線の内側部分が表包装体におけるそれぞれの両胴部と底部で囲まれた内側空間の三角形状に開口する前後開口内にそれぞれ位置するように構成したものとしてある。
【０００９】
また前記まち部のそれぞれに切断辺部に続いて延伸片を設けていて、この延伸片は少なくともまち部に有する山折り線の延長線上内側部分に位置する部位を有していて、まち部に有する山折り線の内側部分が表包装体における両胴部と底部で囲まれた内側空間の三角形状に開口する前後の開口内に位置した際、この開口を閉塞するようにしたものとしてある。
【００１０】
また前記裏包装体を左端から右端に渡り前後に二等分したそれぞれの形状と略同じ形状にしている半裏包装体のそれぞれが、前記表包装体の左胴部、底部、右胴部に渡る前後両端辺に谷折り線を介して連設されており、これら半裏包装体を表包装体上に折り畳むとともに、所定の部位を表包装体に固定することにより表包装体上に前記裏包装体を配設できるように構成したものとしてある。
【００１１】
さらに組み立てられた包装用箱の上部開口を閉封するための閉封手段を設けて構成したものとしてある。
【００１２】
また組み立てられた包装用箱を手で提げるための把手を設けて構成したものとしてある。
【発明の効果】
【００１３】
本発明の包装用箱によれば、展開されている状態から表包装体におけるそれぞれの両胴部を底部の上方向に立ち上げて行くことによって断面三角形状の包装用箱をワンタッチで組み立てることができるので、使い勝手が従来の包装用箱よりも格段に向上する。
【００１４】
すなわち、表包装体におけるそれぞれの両胴部を底部の上方向に立ち上げて行くことによって裏包装体の前後のまち部が起き上がり、さらにこれらまち部に有する山折り線の内側部分が表包装体におけるそれぞれの両胴部と底部で囲まれた空間の三角形状に開口する前後開口内にそれぞれ位置して、断面三角形状の本包装用箱のまち部分が形成されるようになっている。
【００１５】
これにより、保管状態にある略平坦に展開されている状態の包装用箱を立体形に組み上げるまでの時間を格段に短縮できて商品の包装をすばやく行えるので、客を待たせる時間が短縮でき、さらには、通常では組み立てに時間が掛かる包装用箱が、目の前でワンタッチで組み上げられ様子を見ている客に対するパフォーマンスができるので、店の宣伝にも深く寄与するものである。
【００１６】
また、包装用箱の形態が断面三角形であることから通常包装用箱として用いられている断面四角形の包装用箱よりも美的であり、したがって、商品の持ち帰りに使用された後の使い道がない断面四角形の包装用箱に比して断面三角形の本包装用箱は洒落た手提げバック、また大事なものを持ち運ぶ際のハードケースとしてそのまま再利用することができるので、従来のリサイクルであるエネルギーを消費して原料に戻して再利用する形態のリサイクルではなく、エネルギー消費を伴わないリサイクルもできて二酸化炭素の排出量低減にも寄与できる。
【発明を実施するための最良の形態】
【００１７】
以下、本発明の包装用箱を添付図面に基づいて説明する。
図１、２は、組み立てた状態の包装用箱１の一例を示しており、図１は斜め上方から、図２は斜め下方から示している。
【００１８】
そして、図３は、包装用箱１を展開して平坦にしたときの状態であり、また包装用箱１の内側を示している。
【００１９】
この図３に示している展開して平坦にした包装用箱１は、図５に示すように、紙や樹脂等からなる一枚の薄板部材からなっていて、すなわち表包装体と裏包装体を一体に構成しているもの（請求項３に記載の形態）であり、薄板部材の表包装体の前後両端辺に続いて谷折り線９を介して連設しているそれぞれの半裏包装体をこの谷折り線９に沿って表包装体上にそれぞれ折り重ね、かつこれら半裏包装体におけるそれぞれの裏胴部５を接着剤等で表包装体における左右の表胴部２に固定し、次いで、表包装体における左右の表胴部２に谷折り線９を介して連設しているそれぞれの折り返し片４を、表包装体上に折り重ねている両裏包装体におけるそれぞれの裏胴部５上に折り重ねるとともに、この折り返し片４を接着剤等で固定している。
【００２０】
また、半裏包装体のそれぞれを表包装体上に折り重ねる際には、一方の半裏包装体におけるまち部６、まち開口閉塞部７部分を延伸して形成されてなる延伸片８を、他方の裏包装体における前記延伸片８の上に重ねている。
【００２１】
そして、上述のようにして平坦な形態にした図３に示す包装用箱１に、使用時における包装用箱１の上部開口を閉塞するための一対の面ファスナ１１と、紐体からなる手提げ用の把手１３を設けている。
【００２２】
また前記面ファスナ１１は、両面テープや接着剤等の接着手段や鳩目等の固定手段によって折り返し片４にそれぞれ固定している。
【００２３】
また前記把手１３は、把手１３の遊端部を表包装体における表胴部２と折り返し片４、半裏包装体における裏胴部５を貫通させて形成した通孔１２に通し、この遊端部に抜け止め１４を取り付けて通孔１２から把手１３が抜けないようにしている。
【００２４】
そして、図３に示す平坦になっている包装用箱１を、図１に示す立体に組み立てる場合は、包装用箱１の両折り返し片部分を底部３の上方向に立ち上げて行く（図４を参照）ことにより、両半裏包装体における前後のまち部６が谷折り線９を境に起き上がって行き、かつこれらまち部６に有する山折り線１０の内側部分が、両半裏包装体における両裏胴部５と内底３ａで囲まれた包装用箱１における内側空間の三角形状に開口する前後開口内にそれぞれ位置して、包装用箱１が図１の断面三角形状に組み上がる。
【００２５】
また、前述した面ファスナ１１は、図６（ａ）に示すように、面ファスナ１１の一方を表胴部２の一方に設けている被せ片１５に取り付けて、一対の面ファスナ１１で包装用箱１の上部開口を閉塞した際、図６（ｂ）に示すように、被せ片１５によって包装用箱１の上部開口部分を隠し、包装用箱１内への塵埃の侵入や外部から包装用箱１内を覗けないようにする場合もある。
【００２６】
さらには、一対の面ファスナ１１で包装用箱１の上部開口を閉塞するのではなく、図７に示すように、表胴部２の一方に設けているロック片１６を、他方の表胴部２に設けているスリット１７に挿入して包装用箱１の上部開口を閉塞する場合もある。
【００２７】
また、図８に示すように、両表胴部２に粘着テープ１８で取り付けている紐体１９の互いの遊端部を結ぶことによって包装用箱１の上部開口を閉塞する場合もある。
【００２８】
そして、実施例には示していないが、前述する把手１３を包装用箱１に取り付ける方法としては、図８に示しているように、粘着テープ１８で紐体１９を表胴部２に取り付ける方法と同じように、把手１３の遊端部を粘着テープによって包装用箱１の表胴部２に固定する場合もある。
【００２９】
また、包装用箱１が紙材等からなる手提げ袋のように、購入した物品を持ち帰るための袋として使用する場合は、前述の裏包装体部におけるまち部６、まち開口閉塞部７部分を延伸して形成されてなる延伸片８（図３を参照）を形成しないで、図９に示すように、包装用箱１のまち開口閉塞部７の上方に三角形状の開口２０を無理に生じさせておく場合もある。
【００３０】
そして、図５のように表包装体と裏包装体を一体に構成するのではなく、図１０に示すように、表包装体と裏包装体を別々に形成して、裏包装体に六角形状に配してなる折り目線たる谷折り線９の外側に位置する裏胴部５を接着剤等で表包装体上に固定する（請求項１に記載の形態）ことによって図３に示す展開形を形成するようにする場合もある。
【００３１】
また、六角形状に配してなる谷折り線９の内側を左右方向に切断（切断線２１）している。
【００３２】
そして、１０図は、上記図９に示しているまち開口閉塞部７の上方を三角形状に開口２０させた包装用箱１の展開形である。
【００３３】
また、実施例には示していないが、上記１０図のように裏包装体を１パーツで構成するのではなく、裏包装体を前後方向で分割して二つのパーツ（前側パーツ／後側パーツ）で構成して、それぞれ（前側パーツ／後側パーツ）を接着剤等で表包装体上に固定することによって図３に示す展開形を形成するようにする場合もある。
【図面の簡単な説明】
【００３４】
【図１】本発明に係る包装用箱の組み立てた状態を斜め上方から示す斜視図。
【図２】組み立てた状態の包装用箱を斜め下方から示した斜視図。
【図３】図１に示した包装用箱の展開状態を示す平面図。
【図４】組み立て途中の包装用箱を示す斜視図。
【図５】図３に示した展開形の原形を示す平面図。
【図６】包装用箱における上部開口の閉封例を示す斜視図。
【図７】包装用箱における上部開口の閉封例を示す斜視図。
【図８】包装用箱における上部開口の閉封例を示す斜視図。
【図９】包装用箱の組み立てた状態を示す斜視図。
【図１０】表包装体と裏包装体を別体にする包装用箱の原形を示す平面図。
【符号の説明】
【００３５】
１  包装用箱
２  表胴部
３  底部
３ａ  内底
４  折り返し片
５  裏胴部
６  まち部
７  まち開口閉塞部
８  延伸片
９  谷折り線
１０  山折り線
１１  面ファスナ
１２  通孔
１３  把手
１４  抜け止め
１５  被せ片
１６  ロック片
１７  スリット
１８  粘着テープ
１９  紐体
２０  開口
２１  切断線
【図１】
2009179361.tif 000003
【図２】
2009179361.tif 000004
【図３】
2009179361.tif 000005
【図４】
2009179361.tif 000006
【図５】
2009179361.tif 000007
【図６】
2009179361.tif 000008
【図７】
2009179361.tif 000009
【図８】
2009179361.tif 000010
【図９】
2009179361.tif 000011
【図１０】
2009179361.tif 000012